(57)【要約】      （修正有）【課題】養生ネットの連結と着脱が容易で、作業効率が向上し、たるみもなく、取外した紐等の紛失もない建築用養生ネットの連結具を提供する。【解決手段】建築用養生ネットの縁辺部の角状の通し穴にスナップホック２ａ、２ｂ、３を有する連結具１を取りつけてネットを連結する。【選択図】図１
0003210886.tif 000002
【実用新案登録請求の範囲】
【請求項１】
建築用養生ネット６の縁辺部５の角状もしくは長丸型等の通し穴４にスナップホックを用いた留具１でネット６の連結を容易に脱着出来ることを特徴とした建築用養生ネットの連結具
【請求項２】
前記留具１の少なくともスナップホック雄３、スナップホック雌２ａ・２ｂから成っておりスナップホック雄３をスナップホック雌２ａ、２ｂのどちらか一方に固定させる事を特徴とする請求項１記載の建築用養生ネットの連結具
【請求項３】
留具１の一端が養生ネット６と一体化形成したことを特徴とする請求項１記載の建築用養生ネットの連結具
【請求項４】
変形箇所の連結において長さ調整の出来る補足留具９
【請求項５】
前記記載の留具１はスナップホック雌２ａ，２ｂを２ヶ所設けることを特徴する請求項２記載の建築用養生ネットの連結具
【請求項６】
前記記載留具１のスナップホック雌２ａ，２ｂのホックには環状バネＢを使用する事を特徴とする請求項２記載の建築用養生ネットの連結具
【請求項７】
前記記載の留具１のスナップホック雄３・スナップホック雌２ａ２ｂにそれぞれマグネットＡを設けた事を特徴とする請求項２の建築用養生ネットの連結具
【考案の詳細な説明】
【技術分野】
【０００１】本考案は、スナップホックを用いて建築用養生ネット連結部分の脱着を容易とし、スナップホック雄３・スナップホック雌２ａ，２ｂからなりスナップホック雌２ａ，２ｂの溝には環状バネＢを使用し留めを強化する。留具１の素材はアクリル繊維、その他強度のある素材を使用し連結部を安定させる建築用養生ネットの連結具である。
【背景技術】
【０００２】従来の建築現場において各種の建築物を構築したり修理をしたりする場合などにおいては当該建築部の周囲を覆って養生用ネットや養生用シートを配設し工具や資材等の落下防止や飛散物による公害の発生の防止などが図られている。このようなネットを建築物の周囲へ配設するには建築物の周囲に単管パイプ等からなる足場にネット縁部５を当該縁部に設けた鳩目の部分を連結用の紐あるいは連結具を用いて構成されている。【０００３】しかしながら従来の建築現場においては現在でも紐を用いてパイプへネット６を縛り付けることが主流であるがこの紐を用いた固定方法は結びつけた紐が解けてしまったり強風時に擦り切れてしまったりする事により養生ネットの多くの手間を要していた。また、結びつけた紐を取り外すのに手間がかかるため
養生ネットを束ねる場合等養生ネットを移動する作業に時間がかかるとともに取り外した紐を紛失しやすく、かつ、手間と人手を要する作業となる欠点があった。
【先行技術文献】
【特許文献】
【０００４】
【特許文献１】実用新案登録第３１９８５０２号
【考案の概要】
【考案が解決しようとする課題】
【０００５】従来の建築用養生ネット６の連結は紐結び、あるいは針金等で固定させていた為固定に時間がかかり紐がほどけたり、取付け取り外しに手間がかかる等の欠点があり、作業時間がかかると共に取外した紐等を紛失しやすかった。【０００６】本考案は、以上にような欠点を解消するため建築用養生ネットの連結具を提供する事を目的としている。
【課題を解決するための手段】
【０００７】建築用養生ネットの留具１の通し穴４を角状もしくは長丸型にすることにより連結部分の接地面積が強くなり留具１の通し穴４を縦横均一の幅にすることにより養生ネット６を張ったときにたるみなく張れる。
留具１のスナップホック雌２ａ、２ｂを２箇所設けることにより足場の単管パイプの有無に関係なく連結することが出来る。【０００８】変形箇所の連結においては長さへの対応が出来る補足留具９を使用し連結を可能とする。
上記目的を達成する為に留具を長くし、スナップホック雌を１１ｂ〜１１ｆの５箇所もうけ変形箇所等の連結を可能とする。
【考案の効果】
【０００９】従来の養生ネット６の連結は紐結び、あるいは針金等で固定させていた為固定に時間がかかり紐がほどけたり、取付け取り外しに手間がかかる等の欠点があり、作業時間がかかると共に取外した紐等を紛失しやすかった。【００１０】本考案は留具１を用いた連結具で養生ネット６の連結を容易に脱着出来、連結具１の通し穴４を角状もしくは長丸型にし連結部分の接地面積が強くなり留具１の通し穴４を縦横均一の幅にすることにより養生ネット６を張ったときにたるみが無くなり美観にも優れる。【００１１】留具１のスナップホック雌２ａ、２ｂを２箇所設けることにより足場の単管パイプの有無に関係なく連結することが出来る。
以上の説明からなるように本考案にあっては次に列挙する効果が得られる。
（１）［請求項１］の構成要件とで構成されているので連結具の取付け、取り外しが出来る。
したがって、連結具の取付け、取外し作業が容易となり作業効率を向上させることができる。【００１２】（２）前記［請求項１］によって作業時間が短縮し経費削減ができる【００１３】（３）前記［請求項２］によって単管パイプ７の有無に関わらず連結が可能となる。【００１４】（４）前記［請求項３］によって作業時間が短縮し経費削減ができ留具１の紛失がなくなる。【００１５】（５）前記［請求項４］によって長さ調整が出来る為、変化箇所の連結も容易に出来る。【００１６】（７）前記［請求項５］によって［請求項２］と同様の効果が得られる。【００１７】（８）前記［請求項６］によってスナップホック雌２ａ、２ｂの環状バネがスナップホック雄３を締め付ける事により強度が図れる。【００１８】（９）前記［請求項７］によって上記（８）と同様な効果に加え強度が増す。
【図面の簡単な説明】
【００１９】
【図１】本考案を実施するための最良の第１の形態の単体形成型留具の表裏図及び側面図である。
【図２】留具１と養生ネット６の一体形成型の図である。
【図３】スナップホックの環状バネＢ及びスナップホック３雄３・スナップホック雌２ａ，２ｂの図である。
【図４】留具１を用いた際の養生ネット６との横パイプ７への結合の図である。
【図５】留具１を用いた際の養生ネット６の縦パイプ８への結合の図である。
【図６】留具１の連結を用いた際の養生ネット６同士の結合の図である。
【図７】留具１の連結を用いた際の養生ネット６の縦・横の結合を可能とする図である。
【図８】留具１と同様の機能で長さ調整が出来る補足留具９の図である。
【図９】留具９を用いて養生ネット６と単管パイプ７の距離が長い場合及び変形箇所の連結を可能とする図である。
【考案を実施するための形態】
【００２１】現状の養生ネットの紐を通す丸穴を角状もしくは長丸型等の通し穴４に変え留具１を単体型もしくは一体型とし、角状もしくは長丸型等の通し穴４に留具１を通して横パイプ７、縦パイプ８、及び養生ネット６同士の連結をするものとし以下の実施例で詳細に説明する内容により養生ネット掛け施工を容易とするものである。
以下、本考案の実施の形態を図に基づいて説明する。
【実施例１】
【００２２】図１は留具１の拡大図であり留具１の繊維布は耐久性のあるアクリル繊維その他強度のあるものを使用しスナップホック雄３とスナップホック雌２ａ、２ｂを結合する。
【実施例２】
【００２３】図２は留具１を用いた養生ネット６の一体型の全体図であり、一体型は養生ネットに固定されており従来の紐結び連結の時間と手間を要することなく養生ネット６をパイプ７及びパイプ８にぴんとした張り具合で強固に取り付けることが出来、ネットの縁幅５を広くするとともに現行の丸穴の紐通し穴を角状もしくは長丸型等の通し穴４にすることにより丸穴よりも安定に優れ強度が増し縁部分に留具を固定する。
【実施例３】
【００２４】図３はスナップホック本体の図面であり、スナップホック雄３、スナップホック雌２ａ，２ｂからなりスナップホック雄３をスナップホック雌２ａ，２ｂに留めた時環状バネＢが締め付けバネの引張強度は大・小及び太・細の構造からなっており留めの強度を調整出来るものであり尚、スナップホック雄３・スナップホック雌２ａ、２ｂ共にマグネットを用いて固定を強度にする。
【実施例４】
【００２５】図４は足場の横単管パイプ７に養生ネット６を固定する際の図面であり、横単管パイプ７に留具１を巻き込み養生ネット６の角状もしくは長丸型等の通し穴４に留具１を通しスナップホック雄３をスナップホック雌２ａに結合させて留めることによりしっかりと係止する。
【実施例５】
【００２６】図５は足場の縦単管パイプ８に養生ネット６を固定する際の図面であり、縦単管パイプ８に留具１を巻き込み養生ネット６の角状もしくは長丸型等の通し穴４に留具１を通しスナップホック雄３をスナップホック雌２ａに結合させて留めることによりしっかりと係止する。
【実施例６】
【００２７】図６は養生ネット６同士の縦同士・横同士の連結の際の図面であり、留具１を連結するネット６同士の角状もしくは長丸型等の通し穴４に通しスナップホック雄３をスナップホック雌２ｂに結合させしっかりと係止する。
【実施例７】
【００２８】図７は養生ネット６の縦と横の連結の際の図面であり、養生ネット６の角状もしくは長丸型等の通し穴４を縦・横均一の距離にすることにより縦・横の養生ネット同士の連結を可能とする。単管パイプを挟む結合の際はスナップホック雄３をスナップホック雌２ａに結合させ、単管パイプなしの結合の際はスナップホック雄３をスナップホック雌２ｂに結合させるものとし養生ネット６の角状もしくは長丸型等の通し穴４を均一の距離にすることによりたるみなく張れる。
【実施例８】
【００２９】図８は留具１と同様の機能で補足留具スナップホック雄１０を補足留具スナップホック雌１１ｂ〜１１ｆにそれぞれ結合させることにより長さ調整出来る。
【実施例９】
【００３０】図９は補足留具９が長さ調整が出来る為、変形箇所の連結、及び強風時に単管パイプに巻きつける際に対応できる。
【産業上の利用可能性】本考案の建築養生ネットのワンタッチ連結具は建築の産業で利用される。
【符号の説明】１  留具
２ａ，２ｂ  スナップホック雌
３  スナップホック雄
４  角状もしくは長丸型等の通し穴
５  ネット縁部
６  養生ネット
７  横単管パイプ
８  縦単管パイプ
９  補足留具
１０  補足留具スナップホック雄
１１ａ，１１ｂ，１１ｃ，１１ｄ，１１ｅ，１１ｆ  補足留具スナップホック雌
Ａ  マグネット
Ｂ  環状バネ
【図１】
0003210886.tif 000003
【図２】
0003210886.tif 000004
【図３】
0003210886.tif 000005
【図４】
0003210886.tif 000006
【図５】
0003210886.tif 000007
【図６】
0003210886.tif 000008
【図７】
0003210886.tif 000009
【図８】
0003210886.tif 000010
【図９】
0003210886.tif 000011
【手続補正書】
【提出日】平成28年11月9日(2016.11.9)
【手続補正１】
【補正対象書類名】実用新案登録請求の範囲
【補正対象項目名】請求項４
【補正方法】変更
【補正の内容】
【請求項４】
留具は、変形箇所の連結において長さ調整の出来る補足留具９を含むことを特徴とする請求項１記載の建築用養生ネットの連結具